(57)【要約】      （修正有）【課題】部品点数が少なく組み付け作業も容易な門扉装置を提供する。【解決手段】地面に対して固定的に立設した固定支柱３３と、該固定支柱３３に対して上方自動調心ころ軸受５１及び下方円錐ころ軸受５５を介して同軸的且つ回転自在に嵌合された筒形状回転体３４と、該筒状回転体に取付けられた門扉本体とを具備し、該固定支柱３３は、その上部に前記自動調心ころ軸受外輪部５３を収納保持する上方保持台３８と、その下部に前記円錐ころ軸受内輪部５６を保持する下方保持台４０とを有し、該筒状回転体３４は、その上部において前記自動調心ころ軸受内輪部５２に嵌入固着される軸部４２ａを有して該筒状回転体に固着された軸部部材４２と、その下部において前記円錐ころ軸受外輪部５７に当接するよう該筒状回転体に固着されたリング状部材４３とを有する。【選択図】  図１１
2004308352.tif 000002
【特許請求の範囲】
【請求項１】
地面に対して固定的に立設した固定支柱（３３）と、
該固定支柱（３３）に対して上方第１の軸受及び下方の第２の軸受を介して同軸的且つ回転自在に嵌合された筒形状回転体（３４）と、該筒状回転体に取付けられた門扉本体（３１）とを具備する門扉装置において、
前記第１の軸受は自動調心ころ軸受（５１）であり、且つ前記第２の軸受は円錐ころ軸受（５５）であり、
該固定支柱（３３）は、その上部に前記自動調心ころ軸受（５１）の外輪部（５３）を保持する上方保持台（３８）と、その下部に前記円錐ころ軸受（５５）の内輪部（５６）を保持する下方保持台（４０）とを有し、
該筒状回転体（３４）は、その上部において前記自動調心ころ軸受（５１）の内輪部（５２）に上方側から嵌入固着される軸部（４２ａ）を有して該筒状回転体に固着された軸部部材（４２）と、その下部において前記円錐ころ軸受（５５）の外輪部（５７）に上方側から当接するよう該筒状回転体に固着されたリング状部材（４３）とを有する、
ことを特徴とする門扉装置。
【請求項２】
請求項１の門扉装置であって、
前記上方保持台（３８）は、前記固定支柱の上部に一体的又は別部材として形成され、且つ筒状部（３８ａ）を有し、該筒状部（３８ａ）内に、前記自動調心ころ軸受（５１）の外輪部（５３）が収納保持される、ことを特徴とする門扉装置。
【請求項３】
請求項１又は２の何れかに記載の門扉装置であって、
前記下方保持台（４０）は、前記固定支柱の下部外周に一体的又は別部材として形成された大径部（４０）であり、該大径部（４０）の上部に設けた小径段部（４０ａ）に、前記円錐ころ軸受（５５）の内輪部（５６）が嵌合される、ことを特徴とする門扉装置。
【請求項４】
請求項１乃至３の何れかに記載の門扉装置であって、
前記リング状部材（４３）は、断面略Ｌ字形をなし、該Ｌ字形の１辺が前記円錐ころ軸受外輪部（５７）の上面に且つ該Ｌ字形の他の辺が前記円錐ころ軸受外輪部（５７）の外周面に接する、ことを特徴とする門扉装置。
【請求項５】
請求項１乃至４の何れかに記載の門扉装置であって、
前記固定支柱（３３）及び筒状回転体（３４）には夫々、第１及び第２の当接部（４０ｂ；３４ｂ）が設けられ、前記門扉本体（３１）及び筒状回転体（３４）が一体的に所定角度だけ回転するに伴い、その回転範囲の両端において前記第１及び第２の当接部（４０ｂ；３４ｂ）が夫々当接して前記門扉本体（３１）の開き状態、及び閉じ状態の限界位置を規制する、ことを特徴とする門扉装置。
【請求項６】
請求項５記載の門扉装置であって、
前記門扉本体（３１）の前記筒状回転体（３４）への取り付け位置は、該門扉本体（３１）の閉じ状態において、該筒状回転体（３４）の前面側に直接的に取付けられている、ことを特徴とする門扉装置。
【請求項７】
請求項１乃至６の何れかに記載の門扉装置であって、
前記門扉本体（３１）は前記筒状回転体（３４）に対して、該筒状本体（３４）の上部の略水平方向へ離間した２カ所においてボルト（６０、６１）締めにより取付けられ、且つ該筒状本体（３４）の下部の１カ所において該門扉本体（３１）の取り付け部（３１ｂ）が移動調整機構（４４、６２）を介して該筒状本体（３４）に取付けられ、該門扉本体（３１）が該筒状本体（３４）に対して上記３カ所により三点支持された状態で上記移動調整機構（４４、６２）の調整操作により該門扉本体（３１）の張り出し方向の上面レベルの傾きを調整し得る、ことを特徴とする門扉装置。
【請求項８】
請求項７に記載の門扉装置であって、
前記取り付け部（３１ｂ）は取り付け板部（３１ｂ）であり、また前記移動調整機構（４４、６２）は、前記筒状回転体（３４）に固着されて略水平方向へ伸びて取り付け板部（３１ｂ）を貫通するボルト（４４）と該ボルトに螺合された少なくとも１対のナット（６２）とからなる、ことを特徴とする門扉装置。
【請求項９】
地面に対して固定的に立設した固定支柱（３３）と、
該固定支柱（３３）に対して上方第１の軸受（５１）及び下方の第２の軸受（５５）を介して同軸的且つ回転自在に嵌合された筒形状回転体（３４）と、該筒状回転体に取付けられた門扉本体（３１）とを具備する門扉装置において、
前記門扉本体（３１）は前記筒状回転体（３４）に対して、該筒状本体（３４）の上部の略水平方向へ離間した２カ所においてボルト（６０、６１）締めにより取付けられ、且つ該筒状本体（３４）の下部の１カ所において該門扉本体（３１）の取り付け部（３１ｂ）が移動調整機構（４４、６２）を介して該筒状本体（３４）に取付けられ、該筒状本体（３４）に対して上記３カ所により三点支持された状態で上記移動調整機構（４４、６２）の調整操作により該門扉本体の上面レベルの傾きを調整し得る、ことを特徴とする門扉装置。
【請求項１０】
請求項９に記載の門扉装置であって、
前記取り付け部（３１ｂ）は取り付け板部（３１ｂ）であり、また前記移動調整機構（４４、６２）は、前記筒状回転体（３４）に固着されて略水平方向へ伸びて取り付け板部（３１ｂ）を貫通するボルト（４４）と該ボルトに螺合された少なくとも１対のナット（６２）とからなる、ことを特徴とする門扉装置。
【発明の詳細な説明】
【０００１】
【発明の属する技術分野】
本発明は、門扉装置に関し、特に、門扉本体を取付けた筒状回転体を固定支柱に対して、自動調心ころ軸受及び円錐ころ軸受を介して取付けることにより、構成自体が安価で且つ組付けも容易である門扉装置を提供することを目的とする。
【０００２】
【従来の技術】
一般的に門扉装置は、小型のものは、門扉本体を固定支柱に対してヒンジにより回転自在に取付け、また中型又は大型のものは、門扉本体の下部に車輪を取り付けて地面上をころがすか、又は門扉本体を、固定支柱に対してジャーナル軸受を介して同軸的且つ回転自在に嵌合した回転体に対して片持ち状即ち釣り方式で取付けていた。しかしながら中型又は大型の門扉装置では、長期間の使用に伴いジャーナル軸受に隙間ができて門扉本体の動きにガタを生ずる場合があった。このため、特に中型の門扉装置では、ジャーナル軸受に換えて既成のボールまたはローラ軸受を使用するものがあり、その一例を次に示す。
【０００３】
従来の門扉装置としては、本出願人になる特許第３０３８１５０号（特願平８−１７４９２３号）があり、その構成を図１乃至図４に示す。図１中、１は円筒形固定支柱、２は円筒形回転体、３は門扉本体、４及び５は夫々、筒状回転体２を固定支柱１に対して回転自在に支持案内する上部及び下部軸受であり、固定支柱１の上部にフランジ６を、且つ回転体２の上部にフランジ７、頂部板８、Ｕ字形板９を夫々設けている。上部軸受４は、フランジ７の上下凹部内に夫々収納された既成のボールスラスト軸受１０及び１１と、フランジ６及び７間に収納した既成のラジアル軸受１２とからなり、ボールスラスト軸受１０はフランジ６の頂部にボルト１３により取付けた押圧板１４とフランジ７の上部凹部底面との間に配され、且つボールスラスト軸受１１はフランジ６及び７間に配されて、円筒形回転体２の固定支柱１に対する上下方向力即ち、スラスト力を受ける。ラジアル軸受１２は同じくフランジ６及び７間に配されて、円筒形回転体２の固定支柱１に対する半径方向力を受ける。
【０００４】
下部軸受５は、回転体２の下部内周に固着された雌側円筒形軸受部１５と、固定支柱１の下部外周に固着されて前記円筒形軸受部１５の内周に摺動的に接する雄側円筒形軸受部１６とからなる所謂ジャーナル軸受よりなり、円筒形回転体２の固定支柱１に対する半径方向力を受ける。
【０００５】
また、図２に示す如く、門扉本体３の上部の水平凸部１７が前記Ｕ字形板９内に挿入されて、ナット１８付きボルト１９が穴９ａを介してねじ穴１７ａに螺入され、また、門扉本体３の下部が回転体２の下部１対の平行板２０間に挿入されてボルト２１が穴２０ａを介して門扉本体３のねじ穴３ａに螺入され、かくして、門扉本体３は回転体２に対して保持される。ここで、ボルト１９を回転調整して門扉本体３の張り出し方向の上面レベルの傾きを適宜調整して、ボルト２２を長孔９ｂを介して水平凸部１７のねじ孔１７ｂに螺入して固定する。
【０００６】
なお、図３及び図４は他の例の下部軸受５′を示し、固定支柱１の１対の水平フランジ部２５の周方向等分位置に挿通固定された複数のシャフト２６に中央の径が膨らんだローラ２７が回転自在に取付けられ、このローラ２７が回転体２の内周にころがり接触して半径方向力を受ける。
【０００７】
【発明が解決しようとする課題】
上記従来例によれば、次に述べる問題点があった。
▲１▼  上部軸受４はスラストを受けるための２個の軸受１０及び１１、更には半径方向力（ラジアル力）を受けるための軸受１２と合計３個の既成の軸受を必要とし、且つ下部軸受５は特別に加工製作した円筒形軸受部１５及び１６を必要とするので、部品点数が多く構成が複雑で、全体としてコストが高くなり、しかも軸受の個数が多い分だけ組み付け作業も面倒で一層コストが高くなる。
【０００８】
図３の従来例の下部軸受５′も各部品２６，２７は特別に加工製作するので、同様に加工コストが高く且つ組み付け作業も面倒であった。
【０００９】
▲２▼  また門扉本体３の張り出し方向の上面レベルの傾きを調整するために、Ｕ字形板９、水平凸部１７及び１対の平行板２０が必要であり、部品点数が多く構成が複雑でコストが高くなる。
【００１０】
【課題を解決するための手段】
本発明の門扉装置によれば、地面に対して固定的に立設した固定支柱（３３）と、該固定支柱（３３）に対して上方第１の軸受及び下方の第２の軸受を介して同軸的且つ回転自在に嵌合された筒形状回転体（３４）と、該筒状回転体に取付けられた門扉本体（３１）とを具備する門扉装置において、前記第１の軸受は自動調心ころ軸受（５１）であり、且つ前記第２の軸受は円錐ころ軸受（５５）であり、該固定支柱（３３）は、その上部に前記自動調心ころ軸受（５１）の外輪部（５３）を保持する上方保持台（３８）と、その下部に前記円錐ころ軸受（５５）の内輪部（５６）を保持する下方保持台（４０）とを有し、該筒状回転体（３４）は、その上部において前記自動調心ころ軸受（５１）の内輪部（５２）に上方側から嵌入固着される軸部（４２ａ）を有して該筒状回転体に固着された軸部部材（フランジ部材）（４２）と、その下部において前記円錐ころ軸受（５５）の外輪部（５７）に上方側から当接するよう該筒状回転体に固着されたリング状部材（４３）とを有する。
【００１１】
好ましくは、前記上方保持台（３８）は、前記固定支柱の上部に一体的又は別部材として形成され、且つ筒状部（３８ａ）を有し、該筒状部（３８ａ）内に、前記自動調心ころ軸受（５１）の外輪部（５３）が収納保持される。
【００１２】
また好ましくは、前記下方保持台（４０）は、前記固定支柱の下部外周に一体的又は別部材として固着された大径部（４０）であり、該大径部（４０）の上部に設けた小径段部（４０ａ）に、前記円錐ころ軸受（５５）の内輪部（５６）が嵌合される。
【００１３】
また好ましくは、前記リング状部材（４３）は、断面略Ｌ字形をなし、該Ｌ字形の１辺が前記円錐ころ軸受外輪部（５７）の上面に且つ該Ｌ字形の他の辺が前記円錐ころ軸受外輪部（５７）の外周面に接する。
【００１４】
また好ましくは、前記固定支柱（３３）及び筒状回転体（３４）には夫々、第１及び第２の当接部（４０ｂ；３４ｂ）が設けられ、前記門扉本体（３１）及び筒状回転体（３４）が所定角度だけ回転するに伴い、その回転範囲の両端において前記第１及び第２の当接部（４０ｂ；３４ｂ）が夫々当接して前記門扉本体（３１）の開き状態、及び閉じ状態の限界位置を規制する。
【００１５】
また好ましくは、前記門扉本体（３１）の前記筒状回転体（３４）への取り付け位置は、該門扉本体（３１）の閉じ状態において、該筒状回転体（３４）の前面側に直接的に取付けられている。
【００１６】
また好ましくは、前記門扉本体（３１）は前記筒状回転体（３４）に対して、該筒状本体（３４）の上部の略水平方向へ離間した２カ所においてボルト（６０、６１）締めにより取付けられ、且つ該筒状本体（３４）の下部の１カ所において該門扉本体（３１）の取り付け部（３１ｂ）が移動調整機構（４４、６２）を介して該筒状本体（３４）に取付けられ、該門扉本体（３１）が該筒状本体（３４）に対して上記３カ所により三点支持された状態で上記移動調整機構（４４、６２）の調整操作により該門扉本体（３１）の張り出し方向の上面レベルの傾きを調整し得る。
【００１７】
また好ましくは、前記取り付け部（３１ｂ）は取り付け板部（３１ｂ）であり、また前記移動調整機構（４４、６２）は、前記筒状回転体（３４）に固着されて略水平方向へ伸びて取り付け板部（３１ｂ）を貫通するボルト（４４）と該ボルトに螺合された少なくとも１対のナット（６２）とからなる。ことを特徴とする門扉装置。
【００１８】
また他の本発明の門扉装置によれば、地面に対して固定的に立設した固定支柱（３３）と、該固定支柱（３３）に対して上方第１の軸受（５１）及び下方の第２の軸受（５５）を介して同軸的且つ回転自在に嵌合された筒形状回転体（３４）と、該筒状回転体に取付けられた門扉本体（３１）とを具備する門扉装置において、前記門扉本体（３１）は前記筒状回転体（３４）に対して、該筒状本体（３４）の上部の略水平方向へ離間した２カ所においてボルト（６０、６１）締めにより取付けられ、且つ該筒状本体（３４）の下部の１カ所において該門扉本体（３１）の取り付け部（３１ｂ）が移動調整機構（４４、６２）を介して該筒状本体（３４）に取付けられ、該筒状本体（３４）に対して上記３カ所により三点支持された状態で上記移動調整機構（４４、６２）の調整操作により該門扉本体の上面レベルの傾きを調整し得る。
【００１９】
好ましくは、前記取り付け部（３１ｂ）は取り付け板部（３１ｂ）であり、また前記移動調整機構（４４、６２）は、前記筒状回転体（３４）に固着されて略水平方向へ伸びて取り付け板部（３１ｂ）を貫通するボルト（４４）と該ボルトに螺合された少なくとも１対のナット（６２）とからなる。
【００２０】
【発明の実施の形態】
以下、本発明の門扉装置の一実施形態について図面を参照して詳細に説明する。
【００２１】
図５及び図６は夫々、本発明の門扉装置の一実施形態の門扉本体の閉状態の正面図及び平面図、図７及び図８は夫々図５及び図６の門扉装置の要部の門扉本体の閉状態及び開状態の一部断面平面図であり、図９及び図１０は夫々、図５の門扉装置の固定支柱及び回転体の組み付け状態の平面図及び縦断図である。
【００２２】
各図中、門扉本体３１を支える支柱部分３２は筒状固定支柱３３及びこれに回転自在に嵌合した四角筒状回転体３４からなり、門扉本体３１は四角筒状回転体３４の一辺外面に取付け固着される。従って、図５乃至図７に示す如く、門扉本体３１は閉じている時に壁３５及び戸当たり柱３６間の出入り口空間を閉鎖し、また図８に示す如く門扉本体３１が図７の状態から時計方向へ略１８０度門の内側方向へ回転したときに、出入り口空間を完全に開放する。なお、四角筒状回転体３４は断面四角形に限らず、円筒形、又は５角形以上の多角形筒状体でも良い。
【００２３】
門扉本体３１は、支柱部分３２側の上部に１対のねじ孔３１ａ（図５、７参照）を、且つ下部に取り付け板部３１ｂ（孔３１ｃを有する；図７、８、１４参照）を夫々有する。
【００２４】
固定支柱３３は、図１０乃至図１２に示す如く、円筒体３７の上部に上方保持台３８を嵌入してボルト４５（図１１参照）により固着し、且つ下部外周に下方保持台４０を溶接固着し、下端に基礎板４６を溶接固着してなる。下方保持台４０はその上端に小径段部４０ａ（図１１参照）を且つ下端外周の１カ所に半径方向に突出する当接部４０ｂ（図７，８、１１、１８参照）を夫々有する。なお、後述する如く円錐ころ軸受５５の内輪部５６を固定支柱３３に上方から遊嵌するときに、上方保持台３８の外径が該内輪部５６の内径と干渉しないほど小さければ、上方保持台３８は固定支柱３３と予め一体形成しておいても良い。又下方保持台４０は固定支柱３３と一体に大径部４０として一体形成しても良い。
【００２５】
四角筒状回転体３４は、図９乃至図１１及び図１３に示す如く、四角筒状体４１の上部に軸部部材としての上方四角形フランジ４２（下方突出の円柱状軸部４２ａ及びボルト孔４２ｂを有する）を嵌入して溶接固着し、且つ下部内周に下方四角形リング状フランジ４３（リングの断面は略Ｌ字形）を溶接固着してなる。又、四角筒状回転体３４は上端に１対のボルト孔３４ａを有し、且つ下部に水平方向の門扉本体調整ボルト４４を溶接固着され、また下端の１対の対向辺内面に１対の当接部３４ｂ（図７、８、１１、１３、１８参照）を固着される。
【００２６】
５１は自動調心ころ軸受で、図１１及び１６に示す如く、内輪５２及び外輪５３間に２列複数のころ５４が介装されてなる。
５５は円錐ころ軸受で、図１１及び１７に示す如く、内輪５６及び外輪５７間に１列複数の円錐ころ５８が介装されており、これら内輪５６、外輪５７及び１列複数の円錐ころ５８は適宜分解できる。
【００２７】
なお、勿論、自動調心ころ軸受５１及び円錐ころ軸受５５は、各１個に限らず、何れか一方又は両方を複数個ずつ設けても良い。
次に、前記本発明門扉装置の組み付けについて説明する。
【００２８】
まず、未だその上方保持台３８を取付ける以前の固定支柱３３に対して、該固定支柱３３の上側から円錐ころ軸受５５を嵌合して下方へ移動させ、その内輪５６を第２の下方保持台４０の小径部４０ａに嵌合当接させる。
【００２９】
しかる後に、固定支柱３３の上端に上方保持台３８を嵌入した後にボルト４５により締め付け固着し（図１１参照）、この上方保持台３８の円筒部３８ａ内に自動調心ころ軸受５１を圧入嵌合して取付ける。
【００３０】
続いて、四角筒状回転体３４を固定支柱３３の上側から該固定支柱３３に遊嵌させ、上方フランジ４２の軸部４２ａを自動調心ころ軸受５１の内輪５２内に圧入嵌合させ、同時に下方フランジ４３のリング状Ｌ形断面部を円錐ころ軸受５５の外輪５７に当接させる。このときＬ形断面の一辺を外輪５７の上面に且つ他辺を外輪５７の外周面に当接接触させる。次いで、ボルト５９をフランジ４２のボルト孔４２ｂを介して上方保持台３８のねじ孔３８ａに螺入し固定する。かくして、四角筒状回転体３４の自重は、２つの軸受５１及び５５を介して固定支柱３３により保持される。
【００３１】
次に、図７、８、１４、１５に示す如く、門扉本体３１は、支柱部分３２に対して次の如く取付けられる。門扉本体３１の支柱部分３２側一端部の上部において、１対のボルト６０、６１が四角筒状回転体３４の所定の面（図７の如く、門扉本体３１が閉じた状態で前面側の面）の内側よりボルト孔３４ａを介してねじ孔３１ａに螺入されて固定され、同時に下部において、取り付け板部３１ｂの孔３１ｃが門扉本体調整ボルト４４に遊嵌され取り付け板部３１ｂの両側においてこのボルト４４に螺合された１対のナット６２により締め付け固定される。
【００３２】
なお、上記とは逆に、取り付け板部３１ｂを筒状回転体３４側に設け、且つ調整ボルト４４が門扉本体３１側に設けても良い。
【００３３】
従って、門扉本体３１は、１対のボルト６０、６１及び調整ボルト４４（取り付け板部３１ｂ）の３点で支持されていることになる。従って、門扉本体３１の張り出し方向上面が水平方向と一致するようにレベル調節する場合は、特に門扉本体側のボルト６１を多少緩めた状態で調整ボルト４４のナット６２を操作することにより、調整ボルト４４に対する取り付け板部３１ｂの位置を移動調節すると、門扉本体３１は、門扉本体３１とは反対側のボルト６０を中心に垂直面内で若干回転して上記レベル調整が行われる。しかる後に、上記ボルト６１及びナット６２を締め付ける。
【００３４】
続いて、その操作について説明する。
図７中、門扉本体３１が閉じている状態では、回転体３４の１対の当接部３４ｂ、３４ｃのうち当接部３４ｂが固定支柱３３の当接部４０ｂに当接している。ここで、門扉本体３１を時計方向へ略１８０度だけ回転させると、回転体３４も一体回転して、図８に示す如く、今度は他の当接部３４ｃが前記当接部４０ｂに当接して図８の門扉本体３１が開いた状態となる。
【００３５】
次に、門扉本体３１を閉じるときは、上記の場合と逆に図８の状態より図７の状態になる。
【００３６】
このとき、図１１中、回転体３４の回転に伴い、装置の上部では回転体３４の固定支柱３３に対するスラスト力及びラジアル力が自動調心軸受５１により受けられ、また装置の下部では回転体３４の固定支柱３３に対するスラスト力及びラジアル力が円錐ころ軸受５５により受けられ、これにより回転体３４の円滑な回転を保証できる。特に自動調心軸受５１は固定支柱３３の軸線に対する回転体３４の軸線の傾きも吸収することができる。
【００３７】
なお、前記実施の形態は、門扉本体３１が片側開きであったが、勿論２つの門扉本体３１及び２つの支柱部分３２を設けて両側開き形式としてもよい。
【００３８】
【発明の効果】
本発明の上記構成によれば、次に示す利点がある。
▲１▼  門扉本体３１の回転を支持するための軸受は既成の合計２個の自動調心ころ軸受５１及び円錐ころ軸受５５のみであり、構成が極めて簡単であり極めて安価である。また、既成の軸受のみを使用するので、軸受は摩耗を生じ難く門扉本体３１の動きにガタを生じ難く、長期的信頼性が向上する。
【００３９】
▲２▼  またこれら軸受５１、５５を取り付けるためには、固定支柱３３の上下部に夫々上方保持台３８、下方保持台４０を設け、且つ筒状回転体３４は自動調心軸受５１の内輪部５２に嵌入する軸部４２ａを有する軸部部材（四角形フランジ４２）及び円錐ころ軸受５５の外輪部５２に当接するリング状フランジ部材（リング状フランジ４３）を設けるのみでよいため、全体の取り付け構成も必要最低限の個数の部材で良く構成が簡単であり、一層コストを低減し得る。
【００４０】
▲３▼  前記門扉本体３１は前記筒状回転体３４に対して、門扉本体の閉じ状態において、該筒状回転体３４の前面側に直接的に取付けられているため、前面側から見て前記筒状回転体が該門扉本体に隠れて見えないので、その分美観を向上しうる。
【００４１】
▲４▼  門扉本体３１は筒状回転体３４に対して、該筒状本体の上部の略水平方向へ離間した２カ所においてボルト締めにより取付けられ、且つ該筒状本体の下部の１カ所において該門扉本体の取り付け部３１ｂが移動調整機構（例えば、ボルト４４及び２つのナット６２）を介して該筒状本体に取付けられているため、該筒状本体３４に対して三点支持された状態で上記移動調整機構の調整操作により該門扉本体の張り出し方向の上面レベルの傾きを調整し得、従って、従来の特別のＵ字形板及び水平凸部（図２参照）を設けてレベル調整を行うものに比して、部品点数を低減し構成を簡単化し得る。
【図面の簡単な説明】
【図１】従来の門扉装置の一例の縦断図である。
【図２】図１の従来例の要部の分解斜視図である。
【図３】図１の従来例の他の例の要部の縦断図である。
【図４】図３中、４−４線に沿った断面図である。
【図５】本発明の門扉装置の一実施形態の門扉本体の閉状態の正面図である。
【図６】図５の門扉装置の、門扉本体の閉状態の平面図である。
【図７】図５の門扉装置の要部の、門扉本体の閉状態の一部断面平面図である。
【図８】図５の門扉装置の要部の、門扉本体の開状態の一部断面平面図ある。
【図９】図５の門扉装置の、固定支柱及び回転体の組み付け状態の平面図である。
【図１０】図５の門扉装置の、固定支柱及び回転体の組み付け状態の縦断図である。
【図１１】図５の門扉装置の、固定支柱及び回転体の組み付け状態の要部の拡大縦断図である。
【図１２】図５の門扉装置の、固定支柱の縦断図である。
【図１３】図５の門扉装置の、回転体の縦断図である。
【図１４】図５の門扉装置の、門扉本体の一部側面図である。
【図１５】図５の門扉装置の、門扉本体と回転体との取付け部を示す側面図である。
【図１６】図５の門扉装置に使用する自動調心ころ軸受の縦断図である。
【図１７】図５の門扉装置に使用する円錐ころ軸受の縦断図である。
【図１８】図５の門扉装置の要部の一部断面斜視図である。
【符号の説明】
１、３３：固定支柱
２、３４：筒状回転体
３、３１：門扉本体
４：上部軸受
５、５′：下部軸受
９：Ｕ字形板
１０、１１：スラストボール軸受
１２：ラジアルボール軸受
１５、１６：円筒形軸受部
１７：水平凸部
２７：ローラ
３２：支柱部分
３４ｂ、３４ｃ：第２の当接部
３５：壁
３７：円筒体
３８：上方保持台
４０：下方保持台（大径部）
４０ａ：小径段部
４０ａ：第１の当接部
４１：四角筒状体
４２：上方四角形フランジ
４４：門扉本体調整ボルト
４６：基礎板
５１：自動調心ころ軸受
５５：円錐ころ軸受
６０、６１：ボルト
６２：調整ナット
【図１】
2004308352.tif 000003
【図２】
2004308352.tif 000004
【図３】
2004308352.tif 000005
【図４】
2004308352.tif 000006
【図５】
2004308352.tif 000007
【図６】
2004308352.tif 000008
【図７】
2004308352.tif 000009
【図８】
2004308352.tif 000010
【図９】
2004308352.tif 000011
【図１０】
2004308352.tif 000012
【図１１】
2004308352.tif 000013
【図１２】
2004308352.tif 000014
【図１３】
2004308352.tif 000015
【図１４】
2004308352.tif 000016
【図１５】
2004308352.tif 000017
【図１６】
2004308352.tif 000018
【図１７】
2004308352.tif 000019
【図１８】
2004308352.tif 000020